【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
入力端部に交流電圧が印加され出力端部に出力電圧を出力する電力変換回路であって、
(i)第１スイッチング素子と第１ダイオードとが逆並列に接続された第１並列接続体と、前記第１並列接続体に直列に接続され、第２スイッチング素子と第２ダイオードとが逆並列に接続された第２並列接続体と、前記第１並列接続体と前記第２並列接続体との間に配置された第１接続点とを有する第１アームと、
(ii)第３スイッチング素子と第３ダイオードとが逆並列に接続された第３並列接続体と、前記第３並列接続体に直列に接続され、第４スイッチング素子と第４ダイオードとが逆並列に接続された第４並列接続体と、前記第３並列接続体と前記第４並列接続体との間に配置された第２接続点とを有する第２アームと、
(iii)第５スイッチング素子と第５ダイオードとが逆並列に接続された第５並列接続体と、前記第５並列接続体に直列に接続され、第６スイッチング素子と第６ダイオードとが逆並列に接続された第６並列接続体と、第７スイッチング素子と第７ダイオードとが逆並列に接続された第７並列接続体と、前記第７並列接続体に直列に接続され、第８スイッチング素子および第８ダイオードが逆並列に接続された第８並列接続体と、前記第６並列接続体と前記第７並列接続体との間に配置された第３接続点とを有する第３アームと、を備え、
前記入力端部の一端と、第１リアクトルと、前記第１接続点とをこの順に接続する第１経路と、前記第２接続点と、第２リアクトルと、前記出力端部の一端とをこの順に接続する第２経路と、前記入力端部の他端と、前記第３接続点と、前記出力端部の他端とをこの順に接続する第３経路とを有し、
前記第１経路と前記第３経路との間に接続された第１コンデンサ及び前記第１リアクトルを有する第１ローパスフィルタを構成し、前記第２経路と前記第３経路との間に接続された第２コンデンサ及び前記第２リアクトルを有する第２ローパスフィルタを構成し、
第３コンデンサ、前記第１アーム、前記第２アームと前記第３アームとは、並列に接続され、
直列に接続された第４コンデンサと第５コンデンサとは、前記第３コンデンサの両端に接続され、
第１ダイオードは、前記第４コンデンサと前記第５コンデンサとの間の第４接続点から前記第５並列接続体と前記第６並列接続体との間の第５接続点までにおいて、この方向で接続され、
第２ダイオードは、前記第７並列接続体と前記第８並列接続体との間の第６接続点から前記第４接続点までにおいて、この方向で接続されている、
電力変換回路。
【請求項２】
前記第１スイッチング素子から前記第８スイッチング素子のON/OFFを制御する制御器をさらに有し、
前記制御器は、前記第６スイッチング素子がスイッチングを行わない期間であって前記交流電圧の半周期以上の期間である第１の非スイッチング期間を設けるとともに、前記第７スイッチング素子がスイッチングを行わない期間であって前記交流電圧の半周期以上の期間である第２の非スイッチング期間を設ける、請求項１に記載の電力変換回路。
【請求項３】
前記制御器は、前記第１スイッチング素子、前記第２スイッチング素子、前記第３スイッチング素子および前記第４スイッチング素子における前記交流電圧の一周期あたりのスイッチングの回数の最小値を基準回数と定義したとき、前記制御器は、前記第６スイッチング素子の前記一周期あたりのスイッチングの回数を前記基準回数よりも少なくするとともに、前記第７スイッチング素子の前記一周期あたりのスイッチングの回数を前記基準回数よりも少なくする、請求項１に記載の電力変換回路。
【請求項４】
前記制御器は、前記第６スイッチング素子の前記一周期あたりのスイッチングの回数を前記基準回数の６０％以下にするとともに、前記第７スイッチング素子の前記一周期あたりのスイッチングの回数を前記基準回数の６０％以下にする、請求項３に記載の電力変換回路。
【請求項５】
前記第６スイッチング素子および前記第７スイッチング素子は、ＩＧＢＴであり、前記第１スイッチング素子、前記第２スイッチング素子、前記第３スイッチング素子および前記第４スイッチング素子は、ＭＯＳＦＥＴである、請求項１〜４のいずれか一項に記載の電力変換回路。
【請求項６】
前記第１スイッチング素子、前記第２スイッチング素子、前記第３スイッチング素子および前記第４スイッチング素子は、シリコンカーバイドを用いたＭＯＳＦＥＴであり、前記第５スイッチング素子、前記第６スイッチング素子、前記第７スイッチング素子および第８スイッチング素子はシリコンを用いたＭＯＳＦＥＴである、請求項１〜５のいずれか一項に記載の電力変換回路。
【請求項７】
電力変換回路を用いた電力変換方法であって、
前記電力変換回路は、
（ｉ）第１スイッチング素子と、第２スイッチング素子と、がこの順に接続された第１アームと、
（ii）第３スイッチング素子と、第４スイッチング素子と、がこの順に接続された第２アームと、
（iii）第５スイッチング素子と、第６スイッチング素子と、第７スイッチング素子と、第８スイッチング素子と、がこの順に接続された第３アームと、を備え、
前記電力変換方法は、
前記第１アームと前記第３アームとの組み合わせを単相３レベルコンバータとして機能させ、前記単相３レベルコンバータにより第１交流電力を直流電力に変換することと、
前記第２アームと前記第３アームとの組み合わせを単相３レベルインバータとして機能させ、前記単相３レベルインバータにより前記直流電力を第２交流電力に変換することと、を含む、電力変換方法。
【請求項８】
前記電力変換回路は、
前記第１アーム、前記第２アームおよび前記第３アームに流れ込む電流のリプルを低減する第１リアクトルと、
前記電力変換回路から外部負荷に供給される電圧の歪みを小さくする第２リアクトルと、
を備える、
請求項７に記載の電力変換方法。
【請求項９】
第１コンデンサと、第２コンデンサおよび第３コンデンサの直列回路と、前記第１アームと、前記第２アームと、前記第３アームと、は互いに並列に接続されている、
請求項７または８に記載の電力変換方法。
【請求項１０】
前記第３アームは、前記第６スイッチング素子と前記第７スイッチング素子の間に配置された中点を有し、
前記中点の電圧は、前記第１コンデンサの端子間電圧と、前記第３コンデンサの端子間電圧と、前記第１コンデンサおよび前記第３コンデンサの接続点の電圧と、の３つのレベルに制御される、
請求項９に記載の電力変換方法。
【請求項１１】
前記第５スイッチング素子および前記第６スイッチング素子の接続点と、前記第７スイッチング素子および前記第８スイッチング素子の接続点とが、直列に接続された２つのダイオードを介して接続されており、
前記２つのダイオードの接続点と、前記第２コンデンサおよび前記第３コンデンサの接続点と、が接続されている、
請求項９または１０に記載の電力変換方法。
【請求項１２】
前記第１スイッチング素子は、第１ダイオードと逆並列に接続され、
前記第２スイッチング素子は、第２ダイオードと逆並列に接続され、
前記第３スイッチング素子は、第３ダイオードと逆並列に接続され、
前記第４スイッチング素子は、第４ダイオードと逆並列に接続され、
前記第５スイッチング素子は、第５ダイオードと逆並列に接続され、
前記第６スイッチング素子は、第６ダイオードと逆並列に接続され、
前記第７スイッチング素子は、第７ダイオードと逆並列に接続され、
前記第８スイッチング素子は、第８ダイオードと逆並列に接続されている、
請求項７から１１のいずれか一項に記載の電力変換方法。